(57)【特許請求の範囲】
【請求項１】
最終処分場を構成する底版・側壁構造物であって、
鉄筋コンクリートで形成されたＲＣ底版と、
前記ＲＣ底版上に鉄筋コンクリートで形成されたＲＣ側壁と、
前記ＲＣ底版と地盤との間に鉄筋コンクリートで形成されたＲＣ基盤と、
前記ＲＣ基盤と前記ＲＣ底版との間に設けられた第１遮水工とを備え、
前記ＲＣ基盤の上面には、凹条部が設けられ、
前記ＲＣ底版の下面には、前記凹条部に嵌合する凸条部が設けられることを特徴とする底版・側壁構造物。
【請求項２】
前記凹条部の底面と前記凸条部の下面とは離れていてその間に空間が形成されており、
前記第１遮水工は、前記空間内では該凹条部の表面に沿って形成され、
前記空間には、前記ＲＣ底版を経て漏洩した漏洩水を集めて検出するための集水管が該凹条部に沿って埋設されていることを特徴とする請求項１に記載の底版・側壁構造物。
【請求項３】
前記ＲＣ基盤は、前記ＲＣ側壁の外側に延在して該ＲＣ側壁のまわりを囲む周回部を有し、
前記周回部には、前記漏洩水の有無を調べるための検水溝が設けられ、
前記検水溝と前記集水管との間には、該集水管により集められた漏洩水を該検水溝に排出する排水管が設けられることを特徴とする請求項２に記載の底版・側壁構造物。
【請求項４】
前記ＲＣ底版は、下側の鉄筋コンクリート部分である底版躯体部と、上側の鉄筋コンクリート部分である底版押え部とを有し、
前記ＲＣ側壁は、前記底版躯体部から立ち上げられた外側の鉄筋コンクリート部分である側壁躯体部と、前記底版押え部から立ち上げられた内側の鉄筋コンクリート部分である側壁押え部とを有し、
前記底版躯体部及び前記側壁躯体部と、前記底版押え部及び前記側壁押え部との間に第２遮水工が設けられ、
前記第２遮水工は、前記側壁躯体部と前記側壁押え部との間においては、上下方向に所定寸法毎に分割した分割部分により構成され、
上下方向に隣接する前記分割部分同士は、それぞれの端縁が溶着接合されていることを特徴とする請求項１〜３のいずれか１項に記載の底版・側壁構造物。
【請求項５】
前記ＲＣ基盤を支持する地盤は、所定値以上のＮ値を有するように地盤改良された改良地盤であり、
前記ＲＣ基盤は、前記改良地盤に対して凹部を介して接し、
前記改良地盤と前記ＲＣ基盤との間には、遮水シートと、これを保護する保護マットとを積層して構成される第３遮水工が設けられることを特徴とする請求項１〜４のいずれか１項に記載の底版・側壁構造物。
【請求項６】
前記第１遮水工及び前記第２遮水工は、複数の遮水シートと、これを保護する保護マットとを積層して構成され、該第２遮水工は、前記遮水シートの間に自己修復型マットを有することを特徴とする請求項４に記載の底版・側壁構造物。
【請求項７】
前記底版躯体部の上面から前記側壁躯体部の内側面にかけて、前記底版押え部の上面、前記ＲＣ基盤の上面、及び前記側壁躯体部の外面には、ＦＲＰによる防水層と、その上を被覆するトップコートが設けられ、前記側壁押え部の内側面には、ＦＲＰによる防水層と、その上を被覆する不燃材によるトップコートが設けられることを特徴とする請求項４又は６に記載の底版・側壁構造物。
【発明の詳細な説明】
【技術分野】
【０００１】
本発明は、最終処分場を構成する底版・側壁構造物に関する。
【背景技術】
【０００２】
従来、このような構造物として、廃棄物貯蔵施設の外周に立設された側壁としてのコンクリート製の垂直壁と、これと一体として廃棄物貯蔵施設の底部を閉蓋するコンクリート製の底版とを備えた構造物が知られている（例えば、特許文献１参照）。
【０００３】
特許文献１の構造物では、地盤上の第２防水構造体により垂直壁及び底版が支持される。第２防水構造体は、遮水シート及びその上下を被う保護マットで形成される防水ユニット（遮水工）と、その上下に敷設された砕石とで構成される。
【先行技術文献】
【特許文献】
【０００４】
【特許文献１】特開２０１４−２２３５５９号公報
【発明の概要】
【発明が解決しようとする課題】
【０００５】
しかしながら、上記従来技術によれば、第２防水構造体で底版が支持されるので、地震等が生じた場合に、底版が第２防水構造体に沿ってずれたり、第２防水構造体が防水ユニット（遮水工）の上下でずれたりするおそれがある。また、この第２防水構造体のずれにより、防水ユニットが損傷するおそれもある。
【０００６】
本発明の目的は、かかる従来技術の課題に鑑み、底版のずれを確実に防止できる底版・側壁構造物を提供することにある。
【課題を解決するための手段】
【０００７】
第１発明に係る底版・側壁構造物は、
最終処分場を構成する底版・側壁構造物であって、
鉄筋コンクリートで形成されたＲＣ底版と、
前記ＲＣ底版上に鉄筋コンクリートで形成されたＲＣ側壁と、
前記ＲＣ底版と地盤との間に鉄筋コンクリートで形成されたＲＣ基盤と、
前記ＲＣ基盤と前記ＲＣ底版との間に設けられた第１遮水工とを備え、
前記ＲＣ基盤の上面には、凹条部が設けられ、
前記ＲＣ底版の下面には、前記凹条部に嵌合する凸条部が設けられることを特徴とする。
【０００８】
第１発明によれば、ＲＣ基盤上面の凹条部に、ＲＣ底版下面の凸条部が嵌合するので、地震等が起きた場合でも、ＲＣ基盤に対するＲＣ底版のずれを確実に防止することができる。また、上記のように相互に嵌合するＲＣ基盤とＲＣ底版との間に第１遮水工が存在するので、第１遮水工の存在に起因して、その上下でずれが生じることもない。
【０００９】
第２発明は、第１発明において、
前記凹条部の底面と前記凸条部の下面とは離れていてその間に空間が形成されており、
前記第１遮水工は、前記空間内では該凹条部の表面に沿って形成され、
前記空間には、前記ＲＣ底版を経て漏洩した漏洩水を集めて検出するための集水管が該凹条部に沿って埋設されていることを特徴とする。
【００１０】
第２発明によれば、ＲＣ基盤上面の凹条部とＲＣ底版下面の凸条部との間を利用して、漏洩水を検出するための集水管が配置されるので、底版・側壁構造物の構成及び構築を簡便なものとすることができる。
【００１１】
第３発明は、第２発明において、
前記ＲＣ基盤は、前記ＲＣ側壁の外側に延在して該ＲＣ側壁のまわりを囲む周回部を有し、
前記周回部には、前記漏洩水の有無を調べるための検水溝が設けられ、
前記検水溝と前記集水管との間には、該集水管により集められた漏洩水を該検水溝に排出する排水管が設けられることを特徴とする。
【００１２】
第３発明によれば、第２発明によりＲＣ基盤上面の凹条部とＲＣ底版下面の凸条部との間に簡便に設けられた集水管を利用して、漏洩水の有無を容易に調べることができる。
【００１３】
第４発明は、第１〜第３のいずれかの発明において、
前記ＲＣ底版は、下側の鉄筋コンクリート部分である底版躯体部と、上側の鉄筋コンクリート部分である底版押え部とを有し、
前記ＲＣ側壁は、前記底版躯体部から立ち上げられた外側の鉄筋コンクリート部分である側壁躯体部と、前記底版押え部から立ち上げられた内側の鉄筋コンクリート部分である側壁押え部とを有し、
前記底版躯体部及び前記側壁躯体部と、前記底版押え部及び前記側壁押え部との間に第２遮水工が設けられ、
前記第２遮水工は、前記側壁躯体部と前記側壁押え部との間においては、上下方向に所定寸法毎に分割した分割部分により構成され、
上下方向に隣接する前記分割部分同士は、それぞれの端縁が溶着接合されていることを特徴とする。
【００１４】
第４発明によれば、貯蔵される廃棄物に第２遮水工が直接接触することがないので、第２遮水工が、廃棄物に含まれる水分等によって劣化したり、廃棄物によって損傷を受けたり、第２遮水工が外気に触れることによって劣化したりするのを防止しながら、上記第１〜第３発明による効果を享受することができる。
【００１５】
また、第２遮水工は、分割部分により構成され、分割部分同士は、それぞれの端縁を溶着することにより接合されるので、分割部分を側壁躯体部に接着し、かつその下側の分割部分に溶着してからコンクリートの打設を行うことを繰り返すことにより、第２遮水工及び側壁押え部を形成することができる。これにより、コンクリートの打設によって第２遮水工に付与される力を、第２遮水工全体として均一化させ、第２遮水工と側壁躯体部及び側壁押え部との間に水や空気が侵入するのを防止することができる。したがって、第２遮水工の表裏を半真空状態に維持し、その機能を劣化させることなく良好に維持することができる。
【００１６】
第５発明は、第１〜第４のいずれかの発明において、
前記ＲＣ基盤を支持する地盤は、所定値以上のＮ値を有するように地盤改良された改良地盤であり、
前記ＲＣ基盤は、前記改良地盤に対して凹部を介して接し、
前記改良地盤と前記ＲＣ基盤との間には、遮水シートと、これを保護する保護マットとを積層して構成される第３遮水工が設けられることを特徴とする
第５発明によれば、ＲＣ基盤は、改良地盤に対して凹部を介して接し、改良地盤とＲＣ基盤との間に第３遮水工が設けられるので、ＲＣ基盤を盤石なものとするとともに、地盤側からの水等の侵入を阻止し、最終処分場の内外を確実に隔絶することができる。
【００１７】
第６発明は、第４発明において、前記第１遮水工及び前記第２遮水工は、複数の遮水シートと、これを保護する保護マットとを積層して構成され、該第２遮水工は、前記遮水シートの間に自己修復型マットを有することを特徴とする。
【００１８】
第６発明によれば、第２遮水工は、自己修復型マットを有するので、第２遮水工の機能を高度に維持することができる。
【００１９】
第７発明は、第４又は第６発明において、前記底版躯体部の上面から前記側壁躯体部の内側面にかけて、前記底版押え部の上面、前記ＲＣ基盤の上面、及び前記側壁躯体部の外面には、ＦＲＰによる防水層と、その上を被覆するトップコートが設けられ、前記側壁押え部の内側面には、ＦＲＰによる防水層と、その上を被覆する不燃材によるトップコートが設けられることを特徴とする。
【００２０】
第７発明によれば、ＦＲＰによる防水層とトップコートにより、底版・側壁構造物における遮水効果をより確実なものにするとともに、不燃材によるトップコートによって、側壁押え部の内側面におけるＦＲＰ防水層の延焼を防止することができる。
【図面の簡単な説明】
【００２１】
【図１】本発明の一実施形態に係る底版・側壁構造物を示す断面図である。
【図２】図１の底版・側壁構造物における漏洩水を集水する集水管の配置を示す図である。
【図３】図１の底版・側壁構造物における廃棄物の保有水を集水する集水管の配置を示す図である。
【図４】図１の底版・側壁構造物の構築手順を示す図である。
【図５】図１の底版・側壁構造物の次の構築手順を示す図である。
【図６】図１の底版・側壁構造物のさらに次の構築手順を示す図である。
【図７】周回部を最終処分場の建屋内に含めて、建屋全体で覆うことにより点検廊を画定する様子を示す断面斜視図である。
【図８】図１の底版・側壁構造物で構成されるクローズド型最終処分場において廃棄物を直接埋め立てる場合の方法を示す斜視図である。
【発明を実施するための形態】
【００２２】
以下、図面を用いて本発明の実施形態を説明する。図１に示すように、実施形態の底版・側壁構造物１は、クローズド型最終処分場においてその内外を画定するものであり、鉄筋コンクリートで形成されたＲＣ底版２と、ＲＣ底版２上に鉄筋コンクリートで形成されたＲＣ側壁３と、ＲＣ底版２と地盤との間に鉄筋コンクリートで形成されたＲＣ基盤４とを備える。
【００２３】
この底版・側壁構造物１を適用して建設される最終処分場は、重金属や有害な化学物質などの有害な廃棄物を長期貯蔵するのに適した遮断型最終処分場にも適用可能なものである。したがって、底版・側壁構造物１においては、最終処分場で埋立処分する廃棄物及びそれらに起因する物質の流出を完全に遮断できるように、厳重な対策がとられている。
【００２４】
ＲＣ基盤４は、遮水性能の観点から、例えば３５０ｍｍ以上の厚さを有する。ＲＣ基盤４とＲＣ底版２との間には、第１遮水工５が設けられる。第１遮水工５は、遮水シートと、これをその両側で保護する保護マットとを積層し、３層構造のものとして構成される。ＲＣ基盤４の上面には、凹条部６が設けられ、ＲＣ底版２の下面には、凹条部６に嵌合する凸条部７が設けられる。
【００２５】
凹条部６の底面と凸条部７の下面とは離れていて、その間に空間が形成されており、第１遮水工５は、この空間内では凹条部６の表面に沿って形成される。凹条部６及び凸条部７は、断面が台形状を有し、その間の空間も台形状を有する。
【００２６】
この空間には、漏洩水を集めて検出するための集水管８が、凹条部６に沿って、単粒砕石９を用いて埋設される。集水管８としては、例えば、φ１００ｍｍの有孔ダブルプレスト管を用いることができる。
【００２７】
図２は、最終処分場における集水管８の配置を示す。図２に示すように、集水管８は、ＲＣ基盤４の周縁部を巡る周縁管１０と、周縁管１０の内側に配置される内部管１１とで碁盤の目のように構成される。上記の凹条部６及び凸条部７は、この周縁管１０及び内部管１１の配置に対応して、碁盤の目状を呈している。
【００２８】
内部管１１は、両端が周縁管１０に通じており、交差する内部管１１同士は、相互に通じている。内部管１１は、１．０％の勾配率で傾斜して周縁管１０に接続するように設けられる。
【００２９】
図１に戻り、ＲＣ基盤４は、ＲＣ側壁３の外側に延在してＲＣ側壁３のまわりを囲む周回部１２を有する。周回部１２には、最終処分場内からの漏洩水の有無を調べるための検水溝１３が設けられる。検水溝１３には、ステンレス製のグレーチング１３ａが設けられる。なお、本実施形態の底版・側壁構造物１で構成される最終処分場においては、その高い遮水機能により、漏水は生じないと考えられるが、万が一の場合を考慮して、かかる検水機能が設けられている。
【００３０】
検水溝１３と周縁管１０との間には、内部管１１により周縁管１０に集められた漏洩水を検水溝１３に排出する複数の排水管１４が設けられる。排水管１４としては、例えばφ５０ｍｍのステンレス製のものを用いることができる。
【００３１】
各排水管１４は、図２のように、集水管８が形成する碁盤の目の各四角形の周回部１２側の中点に対応する位置から、その外側直近の検水溝１３部分に通じている。したがって、万が一漏水が生じた場合には、検水溝１３のどの部分の排水管１４から漏洩水が排水されるかを調べることにより、漏水が生じた部分の凡その位置を推定することができる。
【００３２】
周回部１２には、この漏洩水の有無を点検するための点検廊１５が設けられる。点検廊１５は、ＲＣ側壁３外側の周回部１２が存在する部分を、ＲＣ側壁３の外面に沿って２．５ｍ程度の高さまで、鉄骨建て方１５ａを伴う鋼板葺き１５ｂ及び鋼板張り１５ｃで覆うことにより設けられる。図７に示すように、周回部１２を最終処分場の建屋４１内に含めて、建屋４１全体で覆うことにより点検廊１５を画定してもよい。
【００３３】
ＲＣ底版２は、下側の鉄筋コンクリート部分である底版躯体部１６と、上側の鉄筋コンクリート部分である底版押え部１７とを有する。ＲＣ側壁３は、底版躯体部１６から立ち上げられた外側の鉄筋コンクリート部分である側壁躯体部１８と、底版押え部１７から立ち上げられた内側の鉄筋コンクリート部分である側壁押え部１９とを有する。
【００３４】
底版躯体部１６及び側壁躯体部１８の厚さは、構造上必要な寸法とされる。底版押え部１７及び側壁押え部１９の厚さは、高い遮水性能を実現するために、３５０ｍｍ以上とされる。
【００３５】
側壁躯体部１８は、高さ方向に、所定の寸法、例えば３ｍ毎に分割されており、各分割された側壁躯体部１８の各段の部分（１８ａ、１８ｂ、・・・）の間の打継部には、止水機能を有する止水板２０が設けられ、打継部の目地には、コーキング３９が施される。また、分割された側壁躯体部１８の１段目の部分１８ａと底版躯体部１６との間の打継部にも、止水板２０及びコーキング３９が設けられる。
【００３６】
底版躯体部１６及び側壁躯体部１８と、底版押え部１７及び側壁押え部１９との間に第２遮水工２１が設けられる。第２遮水工２１は、側壁躯体部１８と側壁押え部１９との間の部分２１ａにおいては、側壁躯体部１８の各段の部分１８ａ、１８ｂ、・・・に対応させて上下方向に所定寸法毎に分割した分割部分２２により構成される。上下方向に隣接する分割部分２２同士は、それぞれの端縁を溶着することにより接合されている。
【００３７】
第２遮水工２１は、自己修復型マットと、その両側に配置された２層の遮水シートと、これらの両側に配置された２層の保護マットとを積層した５層構造のものとして構成される。
【００３８】
ＲＣ基盤４を支持する地盤の部分は、所定値以上のＮ値を有するように地盤改良された改良地盤２３であり、ＲＣ基盤４を支持するための必要な支持力を有している。この地盤の部分は、柱状に地盤改良されたものであってもよい。ＲＣ基盤４は、改良地盤２３に対して凹部２４を介して接し、改良地盤２３とＲＣ基盤４との間には、改良地盤２３上に打設されたレベリングコンクリート２５と、第３遮水工２６が設けられる。第３遮水工２６は、遮水シートと、これを保護する保護マットとを積層した３層構造のものとして構成される。
【００３９】
底版躯体部１６の上面から側壁躯体部１８の内側面に渡る部分、底版押え部１７の上面、ＲＣ基盤４の上面、及び側壁躯体部１８の外面には、ＦＲＰ（繊維強化プラスチック）防水層２７が設けられる。ＦＲＰ防水層２７は、ＦＲＰ層と、その上を被覆するトップコートにより構成される。側壁押え部１９の内面には、ＦＲＰ防水層２８が設けられる。ＦＲＰ防水層２８は、ＦＲＰ層と、その上を被覆する不燃材によるトップコートにより構成される。
【００４０】
底版押え部１７及び側壁押え部１９は、その内側において、廃棄物が投入される空間を画定する。この空間の底部には、ベントナイト混合砂が、例えば３００ｍｍの厚さで敷設されて混合砂層３０が形成され、浸出水に対するより高度な遮水性が確保される。その上に、Ｃ４０−０の砕石粉が混入した砕石が転圧して敷設された砕石層３１が設けられる。
【００４１】
これにより、ＲＣ底版２に付加される廃棄物の重量が平均化され、局所的な過大重量の付加が回避される。混合砂層３０には、底版・側壁構造物１における廃棄物の保有水を集水する集水管３２が単粒砕石９を介して設けられる。
【００４２】
図３は、集水管３２の配置を示す。集水管３２は、図３に示すように、最終処分場の建屋の全長にわたって幅方向中央に設けられた中央管３２ａと、中央管３２ａに両側から合流する複数の支流管３２ｂとで構成される。中央管３２ａは、例えばφ１００ｍｍの有孔ダブルプレスト管で構成される。支流管３２ｂは、例えばφ７５ｍｍの有孔ダブルプレスト管で構成される。
【００４３】
中央管３２ａの端部は、集水された保有水の有無及び水質を観測するための観測井３４に接続される。中央管３２ａ及び支流管３２ｂは、ＲＣ底版２表面の１．０％程度の勾配率に従って観測井３４に保有水が集まるように、０．５〜１．０％程度の勾配率を有する。
【００４４】
図１に戻り、点検廊１５の外側には、犬走り３５及びその外側の雨水排水溝３６がＲＣ基盤４と一体に設けられる。上述のＲＣ基盤４上面のＦＲＰ防水層２７は、検水溝１３、点検廊１５及び犬走り３５の部分を経て、雨水排水溝３６の外壁部まで連続している。
【００４５】
図４Ａ〜図６Ｄは、底版・側壁構造物１の構築手順を示す。すなわち、底版・側壁構造物１を構築する際には、まず、図４Ａのように、設計ＧＬ４０に対して地山３７の掘削土３８部分を掘削する。次に、図４Ｂのように、底版・側壁構造物１を構築する部分の地盤を改良し、養生して改良地盤２３を形成する。そして、改良地盤２３の上にレベリングコンクリート２５を打設し、その上に、第３遮水工２６を敷設する。
【００４６】
次に、図４Ｃのように、周縁管１０（図１参照）と検水溝１３とを接続するための排水管１４を設置し、第３遮水工２６の上にコンクリートを打設して２８日程度養生させることにより、ＲＣ基盤４を構築する。そして、ＲＣ基盤４のコンクリートの含水率が５％以下になったことを確認したうえで、ＲＣ基盤４の上面に、ＦＲＰ防水層２７を設ける。
【００４７】
次に、図４Ｄのように、底版躯体部１６（図１参照）の下面に対向する部分のＦＲＰ防水層２７の上に、第１遮水工５を施工する。その際、予め工場で遮水シートとその両側の保護マットとを積層して第１遮水工５用に形成された積層物を用いることができる。
【００４８】
このとき、第１遮水工５の排水管１４と交差する部分には、排水管１４を第１遮水工５に貫通させ、その部分の第１遮水工５を排水管１４に接着する。そして、ＲＣ基盤４の第１遮水工５で被覆された凹条部６に、単粒砕石９を用いて集水管８を埋設する。これと並行して、集水管８同士及び排水管１４との間の必要な部分の接続を行う。
【００４９】
次に、図５Ａのように、集水管８の埋設に用いた単粒砕石９の部分及び他の第１遮水工５の部分の上にコンクリートを打設して、底版躯体部１６を、その凸条部７と一体的に形成する。この形成は、底版躯体部１６と、この後に形成される側壁躯体部１８の１段目の部分１８ａとの間で止水機能を発揮する止水板２０の下側部分が底版躯体部１６内に埋設されるように行われる。
【００５０】
次に、図５Ｂのように、コンクリートを打設して側壁躯体部１８の１段目の部分１８ａを形成する。このとき、下側部分が底版躯体部１６内に埋設された止水板２０の上側部分が該１段目の部分１８ａに埋設されるとともに、該１段目の部分１８ａと側壁躯体部１８の２段目の部分１８ｂ（図６Ｂ参照）との間で止水機能を発揮する止水板２０の下側部分が、該１段目の部分１８ａの上端部に埋設される。また、打継部の目地には、上述のコーキング３９（図１参照）が施される。
【００５１】
そして、底版躯体部１６と側壁躯体部１８の１段目の部分１８ａとを所定期間、例えば２８日養生した後、コンクリートの含水率が５％以下になったことを確認したうえで、底版躯体部１６の上面から側壁躯体部１８の１段目の部分１８ａの内側面に対してＦＲＰ防水層２７を施工する。
【００５２】
次に、図５Ｃのように、この底版躯体部１６上面から１段目の部分１８ａの内側面にわたるＦＲＰ防水層２７の上に、第２遮水工２１を敷設する。このとき、該１段目の部分１８ａに対応する第２遮水工２１の分割部分２２（図１参照）は、該１段目の部分１８ａ上のＦＲＰ防水層２７に対して両面テープ等で接着され、底版躯体部１６上面の第２遮水工２１部分に対し、重ね代２１ｂを介して、溶着により接続される。
【００５３】
重ね代２１ｂは、例えば、底版躯体部１６の上面から３００ｍｍ程度上のレベルから、その３００ｍｍ程度上のレベルまでの範囲に設けられる。重ね代２１ｂにおける第２遮水工２１の溶着は、第２遮水工２１を構成する遮水シート、自己修復型マット、及び保護マットの各層毎に行われる。このとき、各層は、上側の層（分割部分２２側の層）が下側の層（底版躯体部１６側の層）の場内側（最終処分場における廃棄物が貯蔵される空間の側）に位置するように配置される。
【００５４】
次に、図５Ｄのように、第２遮水工２１の底版躯体部１６上の部分の上にコンクリートを打設して底版押え部１７を形成する。これにより、第２遮水工２１の底版躯体部１６上に位置する部分が、底版押え部１７により押さえられて保護される。
【００５５】
次に、図６Ａのように、側壁躯体部１８の１段目の部分１８ａに設けられた第２遮水工２１の分割部分２２の場内側にコンクリートを打設して、側壁躯体部１８の１段目に対応する側壁押え部１９の１段目の部分１９ａを形成する。この形成は、分割部分２２上端から３００ｍｍ程度下のレベルまで行い、分割部分２２上端の重ね代２１ｃに対するアクセスを確保する。
【００５６】
次に、図６Ｂのように、側壁躯体部１８の１段目の部分１８ａの上端の上にコンクリートを打設して、側壁躯体部１８の２段目の部分１８ｂを設ける。このとき、側壁躯体部１８の１段目の部分１８ａの上端から突出する止水板２０の上側部分が、該２段目の部分１８ｂ内に埋設される。これにより、該１段目の部分１８ａと２段目の部分１８ｂとの間の打継部における漏水が、止水板２０により阻止される。また、この打継部に、上述のコーキング３９が設けられる。
【００５７】
これと並行して、側壁躯体部１８の１段目の部分１８ａの外側に、点検廊１５を設ける。また、点検廊１５の外側に、コンクリートを打設して、犬走り３５及び雨水排水溝３６を設ける。また、側壁躯体部１８の１段目の部分１８ａの外面における点検廊１５内に存在する部分に、ＦＲＰ防水層２７を敷設する。
【００５８】
次に、図６Ｃに示すように、側壁躯体部１８の２段目の部分１８ｂについて所定の養生期間、例えば２８日が経過した後、コンクリートの含水率が５％以下であることを確認したうえで、該２段目の部分１８ｂの外面及び内面（場内側の面）にＦＲＰ防水層２７を設ける。このとき、側壁躯体部１８の１段目の部分１８ａにおける点検廊１５の外側に位置する部分についても、ＦＲＰ防水層２７を設ける。
【００５９】
さらに、内面のＦＲＰ防水層２７の上に、第２遮水工２１の２段目の分割部分２２（図１参照）を敷設する。このとき、３００ｍｍ程度の重ね代２１ｃを介して、２段目の分割部分２２の下端部と１段目の分割部分２２の上端部とを溶着する。この溶着は、上述の１段目の分割部分２２下端部の重ね代２１ｂにおける溶着の場合と同様にして、第２遮水工２１の各層毎に行われる。
【００６０】
次に、図６Ｄのように、第２遮水工２１の２段目の分割部分２２の内側（場内側）において、側壁押え部１９の１段目の部分１９ａにおける上端の上に、２段目の分割部分２２の上端から３００ｍｍ程度下のレベルまでの範囲でコンクリートを打設することにより、側壁押え部１９の２段目の部分１９ｂを形成する。この後、所定の養生期間、例えば２８日が経過した後、コンクリートの含水率が５％以下であることを確認したうえで、側壁押え部１９の１段目及び２段目の部分１９ａ及び１９ｂの場内側の面に、ＦＲＰ防水層２７に接続されたＦＲＰ防水層２８を設ける。
【００６１】
この後、２段目の側壁躯体部１８の部分１８ｂ、ＦＲＰ防水層２７、分割部分２２、側壁押え部１９の部分１９ｂ及びＦＲＰ防水層２８と同様にして、必要な段数の側壁躯体部１８、ＦＲＰ防水層２７、分割部分２２、側壁押え部１９及びＦＲＰ防水層２８が構築される。
【００６２】
この構築が完了すると、構築に用いた足場を解体してから、底版押え部１７上面のＦＲＰ防水層２７の上にベントナイト混合砂層３０、集水管３２及び砕石層３１を施工する。これにより、底版・側壁構造物１の構築が完了する。
【００６３】
このようにして構築される底版・側壁構造物１を適用したクローズド型最終処分場において、廃棄物は、コンクリート固化して埋め立てるか又は直接埋め立てることにより処分される。コンクリート固化して埋め立てる場合には、固化単位である圧密成形体に対して上面キャッピング及び側面キャッピングが施される（特許第５１８８６４６号公報「無機廃棄物固化シールド構造体および無機廃棄物固化シールド構造体の製造方法」等参照）。
【００６４】
廃棄物を直接埋め立てる場合には、図８のように、コンクリート二次製品であるコンクリート壁５６で水平方向に区切られた各区画５３内に廃棄物５２が埋め立てられ、該区画５３のコンクリート壁５６が側面キャッピングとして利用される。そして、該区画５３の廃棄物５２の上面に、厚さ１０［ｃｍ］程度の新材のコンクリートスラブを打設することにより、上面キャッピング５８が設けられる。
【００６５】
このように上面キャッピング５８及びコンクリート壁５６による側面キャッピングを設ける目的は、次の点にある。すなわち、通常、クローズド型最終処分場の根幹である屋根と壁の外郭が、万が一破損した場合、雨水等が場内に侵入するので、クローズドシステムが成り立たなくなる。この点、上記キャッピングを施しておけば、侵入した雨水は、廃棄物５２に一切接触しないので、通常の雨水排水として場外に放流することが可能となる。
【００６６】
本実施形態によれば、ＲＣ基盤４上面の凹条部６に、ＲＣ底版２下面の凸条部７が嵌合しているので、地震等が起きた場合でも、ＲＣ基盤４に対するＲＣ底版２のずれを確実に防止することができる。また、上記のように相互に嵌合するＲＣ基盤４とＲＣ底版２との間に第１遮水工５が存在するので、第１遮水工５の存在に起因して、その上下でずれが生じることもない。
【００６７】
また、ＲＣ基盤４上面の凹条部６とＲＣ底版２下面の凸条部７との間を利用して、漏洩水を検出するための集水管８が配置されるので、底版・側壁構造物１の構成及び構築を簡便なものとすることができる。また、このようにして簡便に設けられた集水管８を利用して、漏洩水の有無を容易に調べることができる。
【００６８】
また、貯蔵される廃棄物に第２遮水工２１が直接接触することがないので、第２遮水工２１が、廃棄物に含まれる水分等によって劣化したり、廃棄物によって損傷を受けたり、第２遮水工２１が外気に触れることによって劣化したりするのを防止することができる。
【００６９】
また、第２遮水工２１は、分割部分２２により構成され、分割部分２２同士は、それぞれの端縁を溶着することにより接合されるので、分割部分２２を側壁躯体部１８内面のＦＲＰ防水層２７に接着し、かつその下側の分割部分２２に溶着してからコンクリートの打設を行うことを繰り返すことにより、第２遮水工２１及び側壁押え部１９を形成することができる。
【００７０】
これにより、コンクリートの打設によって第２遮水工２１に付与される力を、第２遮水工２１全体として均一化させ、第２遮水工２１と側壁躯体部１８及び側壁押え部１９との間に水や空気が侵入するのを防止することができる。したがって、第２遮水工２１の表裏を半真空状態に維持し、その機能を劣化させることなく良好に維持することができる。
【００７１】
また、ＲＣ基盤４は、改良地盤２３に対して凹部２４を介して接し、改良地盤２３とＲＣ基盤４との間に第３遮水工２６が設けられるので、ＲＣ基盤４を盤石なものとするとともに、地盤側からの水等の侵入を阻止し、最終処分場の内外を確実に隔絶することができる。
【００７２】
また、第２遮水工２１は、自己修復型マットを有するので、第２遮水工２１に損傷が生じた場合でもこれを修復し、遮水機能が劣化するのを防止することができる。また、ＦＲＰ防水層２７により、底版・側壁構造物１における遮水効果をより確実なものにするとともに、不燃材のトップコートを有するＦＲＰ防水層２８によって、ＦＲＰ防水層２８の延焼を防止することができる。
【００７３】
また、ＲＣ側壁３については、場内側からＦＲＰ防水層２８、側壁押え部１９、第２遮水工２１、ＦＲＰ防水層２７、側壁躯体部１８及びＦＲＰ防水層２７の６次に及ぶ遮水機能を実現することができる。
【００７４】
また、底版については、ベントナイトの混合砂層３０、ＦＲＰ防水層２７、底版押え部１７、第２遮水工２１、ＦＲＰ防水層２７及び底版躯体部１６の６次に及ぶ遮水機能を実現することができる。あるいは、これに対して第１遮水工５、ＦＲＰ防水層２７、ＲＣ基盤４、第３遮水工２６及び改良地盤２３の５次に及ぶ遮水機能を加えて、１１次の遮水機能を実現することができる。
【００７５】
したがって、底版・側壁構造物１を適用することにより、厳重な遮断対策が施された遮断型の処分場を効率的に建設することができる。かかる処分場は、中間貯蔵施設としても長期かつ安定して使用することができる。
【００７６】
以上、実施形態について説明したが、本発明はこれに限定されない。例えば、底版・側壁構造物１は、オープン型の最終処分場にも適用することができる。
【符号の説明】
【００７７】
１…底版・側壁構造物、２…ＲＣ底版、３…ＲＣ側壁、４…ＲＣ基盤、５…第１遮水工、６…凹条部、７…凸条部、８…集水管、９…単粒砕石、１０…周縁管、１１…内部管、１２…周回部、１３…検水溝、１４…排水管、１５…点検廊、１６…底版躯体部、１７…底版押え部、１８…側壁躯体部、１９…側壁押え部、２０…止水板、２１…第２遮水工、２２…分割部分、２３…改良地盤、２４…凹部、２５…レベリングコンクリート、２６…第３遮水工、２７…ＦＲＰ防水層、２８…ＦＲＰ防水層、３０…混合砂層、３１…砕石層（砕石粉混じり砕石層）、３２…集水管、３２ａ…中央管、３２ｂ…支流管、３４…観測井、３５…犬走り、３６…雨水排水溝、３７…地山、３８…掘削土、３９…コーキング、４０…設計ＧＬ、４１…建屋、５２…廃棄物、５３…区画、５６…コンクリート壁、５８…上面キャッピング。
【要約】
【課題】底版のずれを確実に防止できる底版・側壁構造物を提供する。
【解決手段】底版・側壁構造物１は、鉄筋コンクリートで形成されたＲＣ底版２と、ＲＣ底版２上に鉄筋コンクリートで形成されたＲＣ側壁３と、ＲＣ底版４と地盤との間に鉄筋コンクリートで形成されたＲＣ基盤４と、ＲＣ基盤４とＲＣ底版２との間に設けられた第１遮水工５とを備える。ＲＣ基盤４の上面には、凹条部６が設けられ、ＲＣ底版２の下面には、凹条部６に嵌合する凸条部７が設けられる。
【選択図】図１【図１】
0005887021.tif 000002
【図２】
0005887021.tif 000003
【図３】
0005887021.tif 000004
【図４】
0005887021.tif 000005
【図５】
0005887021.tif 000006
【図６】
0005887021.tif 000007
【図７】
0005887021.tif 000008
【図８】
0005887021.tif 000009